(57)【要約】【課題】バイオフィルムの抑制と過剰な塩素添加による膜劣化の防止との間でバランスを調整することが可能な、水処理システムを提供する。【解決手段】水処理システム１は、給水Ｗ１１に安定化剤を薬注する安定化剤薬注手段６と、給水Ｗ１１における全ハロゲン濃度と、濃縮排水Ｗ５０における全ハロゲン濃度との差分であるハロゲン消費量を算出するハロゲン消費量算出部３１と、逆浸透膜モジュール１４において濃縮水Ｗ３０が流れる経路の入出差圧である膜間差圧を測定する差圧測定部３２、又は逆浸透膜モジュール１４における透過流束値を算出する透過流束値算出部３４と、ハロゲン消費量と前記膜間差圧又は透過流束値とに基づいて、給水Ｗ１１への安定化剤の薬注量を制御する薬剤濃度調整部３３と、を備える。【選択図】図１
2020124675.tif 000002
【特許請求の範囲】
【請求項１】
給水を透過水と濃縮水とに分離する逆浸透膜モジュールと、
給水を前記逆浸透膜モジュールに供給する給水ラインと、
前記逆浸透膜モジュールで分離された透過水を送出する透過水ラインと、
前記逆浸透膜モジュールで分離された濃縮水を送出する濃縮水ラインと、
前記濃縮水の一部又は全部を濃縮排水として、系外に排出する濃縮排水ラインと、
給水に安定化剤を薬注する安定化剤薬注手段と、
給水における全ハロゲン濃度と、濃縮排水における全ハロゲン濃度との差分であるハロゲン消費量を算出するハロゲン消費量算出部と、
前記逆浸透膜モジュールにおいて濃縮水が流れる経路の入出差圧である膜間差圧を測定する差圧測定部、又は前記逆浸透膜モジュールにおける透過流束値を算出する透過流束値算出部と、
前記ハロゲン消費量と前記膜間差圧又は前記透過流束値とに基づいて、給水への安定化剤の薬注量を制御する薬剤濃度調整部と、を備える、水処理システム。
【請求項２】
前記膜間差圧又は前記透過流束値に応じて、前記ハロゲン消費量の許容上限値が規定されると共に、
前記ハロゲン消費量が前記許容上限値を超えた場合に、前記薬剤濃度調整部は、前記安定化剤の薬注量を増加させる、請求項１に記載の水処理システム。
【請求項３】
給水中の遊離塩素濃度を調整する遊離塩素濃度調整手段を更に備え、
前記薬剤濃度調整部は、前記ハロゲン消費量と前記膜間差圧又は前記透過流束値とに基づいて、更に、給水中の遊離塩素濃度を調整する、請求項１に記載の水処理システム。
【請求項４】
前記膜間差圧又は前記透過流束値に応じて、前記ハロゲン消費量の許容上限値が規定されると共に、
前記ハロゲン消費量が前記許容上限値を超えた場合に、前記薬剤濃度調整部は、前記遊離塩素濃度を減少させる、請求項３に記載の水処理システム。
【請求項５】
前記遊離塩素濃度調整手段として、給水に塩素系酸化剤を薬注する酸化剤薬注装置を更に備える、請求項３又は４に記載の水処理システム。
【請求項６】
前記遊離塩素濃度調整手段として、給水に還元剤を薬注する還元剤薬注装置を更に備える、請求項３〜５のいずれか１項に記載の水処理システム。
【請求項７】
給水を透過水と濃縮水とに分離する逆浸透膜モジュールと、
給水を前記逆浸透膜モジュールに供給する供給水ラインと、
前記逆浸透膜モジュールで分離された透過水を送出する透過水ラインと、
前記逆浸透膜モジュールで分離された濃縮水を送出する濃縮水ラインと、
前記濃縮水の一部又は全部を濃縮排水として、系外に排出する濃縮排水ラインと、
給水中の遊離塩素濃度を調整する遊離塩素濃度調整手段と、
給水に安定化剤を薬注する安定化剤薬注装置と、
給水における酸化還元電位と、前記濃縮排水における酸化還元電位との差分から、遊離塩素又は安定化剤によるハロゲン消費量を算出するハロゲン消費量算出部と、
前記逆浸透膜モジュールにおける膜間差圧を測定する差圧測定部、又は前記逆浸透膜モジュールにおける透過流束値を算出する透過流束値算出部と、
前記ハロゲン消費量と前記膜間差圧又は前記透過流束値とに基づいて、給水中の遊離塩素濃度の調整量及び／又は安定化剤の薬注量を制御する薬剤濃度調整部と、を備える、水処理システム。
【請求項８】
給水の水質を測定する水質測定手段を更に備え、
前記薬剤濃度調整部は、前記水質測定手段により測定された水質に基づいて、運転開始時における給水中の遊離塩素濃度の調整量及び給水への安定化剤の薬注量を設定する、請求項１〜７のいずれか１項に記載の水処理システム。
【発明の詳細な説明】
【技術分野】
【０００１】
本発明は、水処理システムに関する。
【背景技術】
【０００２】
逆浸透膜を用いた膜ろ過プロセスを実行する水処理システムにおいて、微生物の繁茂に由来するバイオフィルムを抑制するため、微生物を除去する塩素系殺菌剤として次亜塩素酸ナトリウムが用いられることがある。
例えば、特許文献１は、逆浸透膜を用いた造水方法であって、バイオフィルムの発生によるバイオファウリングの抑制のため、次亜塩素酸ナトリウムを水処理システム中の逆浸透膜に流入させる造水方法を開示している。
【先行技術文献】
【特許文献】
【０００３】
【特許文献１】特開２０１６−１９０２１４号公報
【発明の概要】
【発明が解決しようとする課題】
【０００４】
しかし、水処理システムへの次亜塩素酸ナトリウムの薬注により逆浸透膜は劣化する。一方で、逆浸透膜にバイオフィルムが発生することにより、次亜塩素酸ナトリウムが逆浸透膜に直接触れる度合いが下がることで、次亜塩素酸ナトリウムの酸化力による膜劣化の度合いは下がる。
【０００５】
本発明は、バイオフィルムの抑制と過剰な塩素添加による膜劣化の防止との間でバランスを調整することが可能な、水処理システムを提供することを目的とする。
【課題を解決するための手段】
【０００６】
本発明は、給水を透過水と濃縮水とに分離する逆浸透膜モジュールと、給水を前記逆浸透膜モジュールに供給する給水ラインと、前記逆浸透膜モジュールで分離された透過水を送出する透過水ラインと、前記逆浸透膜モジュールで分離された濃縮水を送出する濃縮水ラインと、前記濃縮水の一部又は全部を濃縮排水として、系外に排出する濃縮排水ラインと、給水に安定化剤を薬注する安定化剤薬注手段と、給水における全ハロゲン濃度と、濃縮排水における全ハロゲン濃度との差分であるハロゲン消費量を算出するハロゲン消費量算出部と、前記逆浸透膜モジュールにおいて濃縮水が流れる経路の入出差圧である膜間差圧 を測定する差圧測定部、又は前記逆浸透膜モジュールにおける透過流束値を算出する透過流束値算出部と、前記ハロゲン消費量と前記膜間差圧又は前記透過流束値とに基づいて、給水への安定化剤の薬注量を制御する薬剤濃度調整部と、を備える、水処理システムに関する。
【０００７】
また、前記膜間差圧又は前記透過流束値に応じて、前記ハロゲン消費量の許容上限値が規定されると共に、前記ハロゲン消費量が前記許容上限値を超えた場合に、前記薬剤濃度調整部は、前記安定化剤の薬注量を増加させることが好ましい。
【０００８】
また、本発明に係る水処理システムは、給水中の遊離塩素濃度を調整する遊離塩素濃度調整手段を更に備え、前記薬剤濃度調整部は、前記ハロゲン消費量と前記膜間差圧又は前記透過流束値とに基づいて、更に、給水中の遊離塩素濃度を調整することが好ましい。
【０００９】
また、前記膜間差圧又は前記透過流束値に応じて、前記ハロゲン消費量の許容上限値が規定されると共に、前記ハロゲン消費量が前記許容上限値を超えた場合に、前記薬剤濃度調整部は、前記遊離塩素濃度を減少させることが好ましい。
【００１０】
また、本発明に係る水処理システムは、前記遊離塩素濃度調整手段として、給水に塩素系酸化剤を薬注する酸化剤薬注装置を更に備えることが好ましい。
【００１１】
また、本発明に係る水処理システムは、前記遊離塩素濃度調整手段として、給水に還元剤を薬注する還元剤薬注装置を更に備えることが好ましい。
【００１２】
また、本発明は、給水を透過水と濃縮水とに分離する逆浸透膜モジュールと、給水を前記逆浸透膜モジュールに供給する供給水ラインと、前記逆浸透膜モジュールで分離された透過水を送出する透過水ラインと、前記逆浸透膜モジュールで分離された濃縮水を送出する濃縮水ラインと、前記濃縮水の一部又は全部を濃縮排水として、系外に排出する濃縮排水ラインと、給水中の遊離塩素濃度を調整する遊離塩素濃度調整手段と、給水に安定化剤を薬注する安定化剤薬注装置と、給水における酸化還元電位と、前記濃縮排水における酸化還元電位との差分から、遊離塩素又は安定化剤によるハロゲン消費量を算出するハロゲン消費量算出部と、前記逆浸透膜モジュールにおける膜間差圧を測定する差圧測定部、又は前記逆浸透膜モジュールにおける透過流束値を算出する透過流束値算出部と、前記ハロゲン消費量と前記膜間差圧又は前記透過流束値とに基づいて、給水中の遊離塩素濃度の調整量及び／又は安定化剤の薬注量を制御する薬剤濃度調整部と、を備える、水処理システムに関する。
【００１３】
また、給水の水質を測定する水質測定手段を更に備え、前記薬剤濃度調整部は、前記水質測定手段により測定された水質に基づいて、運転開始時における給水中の遊離塩素濃度の調整量及び給水への安定化剤の薬注量を設定することが好ましい。
【発明の効果】
【００１４】
本発明によれば、バイオフィルムの抑制と過剰な塩素添加による膜劣化の防止との間でバランスを調整することが可能な、水処理システムを提供することが可能となる。
【図面の簡単な説明】
【００１５】
【図１】本発明の実施形態に係る水処理システムの全体構成図である。
【図２Ａ】本発明の実施形態に係る水処理システムに備わる制御部の第１の機能ブロック図である。
【図２Ｂ】本発明の実施形態に係る水処理システムに備わる制御部の第２の機能ブロック図である。
【図３】本発明の実施形態に係る水処理システムの動作を説明するフローチャートである。
【図４】塩素濃度の測定値の差分と酸化還元電位の測定値の差分との各々から塩素消費量を求めた場合の、膜間差圧と塩素消費量との相関関係を示すグラフである。
【発明を実施するための形態】
【００１６】
〔全体構成〕
以下、本発明の実施形態である水処理システム１について、図面を参照しながら説明する。図１は、本発明の水処理システム１の全体構成図である。
【００１７】
図１に示すように、水処理システム１は、第１薬剤添加装置５と、第２薬剤添加装置６と、水質センサ７と、第１ハロゲン濃度センサ８と、加圧ポンプ１０と、インバータ１１と、第１圧力センサ１３と、逆浸透膜モジュール（以下、「ＲＯ膜モジュール」ともいう）１４と、第２圧力センサ１５と、第１流量センサＦＭ１と、第３圧力センサ１７と、定流量弁１８と、第２ハロゲン濃度センサ１９と、第２流量センサＦＭ２と、比例制御排水弁２０と、制御部３０と、を備える。なお、制御部３０と被制御対象機器との電気的接続線の図示については、省略している。
【００１８】
水処理システム１は、ラインとして、給水ラインＬ１と、透過水ラインＬ２と、濃縮水ラインＬ３と、循環水ラインＬ４と、濃縮排水ラインＬ５と、を備える。「ライン」とは、流路、経路、管路等の流体の流通が可能なラインの総称である。また、その由来（出所）やその水質によらず、給水ラインＬ１、濃縮水ラインＬ３又は循環水ラインＬ４を流通する水を、「給水」ともいい、濃縮水ラインＬ３、循環水ラインＬ４又は濃縮排水ラインＬ５を流通する水を、「濃縮水」ともいう。
【００１９】
給水ラインＬ１は、給水Ｗ１１〜Ｗ１２を逆浸透膜モジュール１４に向けて供給するラインである。給水ラインＬ１は、上流側から下流側に向けて、第１給水ラインＬ１１と、第２給水ラインＬ１２とを有する。
【００２０】
第１給水ラインＬ１１の上流側の端部は、給水Ｗ１１の水源２に接続されている。第１給水ラインＬ１１の下流側の端部は、接続部Ｊ１において、第２給水ラインＬ１２及び循環水ラインＬ４に接続されている。第１給水ラインＬ１１には、第１薬剤添加装置５、第２薬剤添加装置６、水質センサ７、及び第１ハロゲン濃度センサ８が、上流側から下流側に向けてこの順で設けられる。
【００２１】
第１薬剤添加装置５は、給水ラインＬ１に第１薬剤を添加する装置である。第１薬剤添加装置５は、制御部３０と電気的に接続されている。
本実施形態において、第１薬剤添加装置５は、逆浸透膜モジュール１４におけるバイオフィルムの析出を抑制するために、第１薬剤として酸化剤を添加することにより、給水Ｗ１１中の遊離塩素濃度を調整する。逆浸透膜モジュール１４において、逆浸透膜の表面にバイオフィルムが付着することを効果的に抑制可能なことから、第１薬剤の例として、次亜塩素酸ソーダ等の塩素系酸化剤が挙げられる。なお、第１薬剤が次亜塩素酸ソーダの場合、次亜塩素酸ソーダの添加量は、給水Ｗ１１中の有効塩素濃度が、０．０１〜５ｍｇＣｌ２／Ｌ程度となることが好ましい。
以下では説明の簡略化のため、第１薬剤が次亜塩素酸ソーダである例について説明するが、本発明はこれには限られない。他の塩素系酸化剤として、例えば、液化塩素、さらし粉、塩素化イソシアヌル酸等を用いてもよい。
また、第１薬剤添加装置５は、塩素系酸化剤の代わりに、あるいは塩素系酸化剤と共に、臭化ナトリウム等の臭素化合物を添加してもよい。なお、臭素化合物の添加量は、例えば、給水Ｗ１１中の有効塩素：臭素化合物のモル比が１：１〜１０程度となることが好ましく、１：１〜２程度とするとなおよい。
【００２２】
第２薬剤添加装置６は、給水ラインＬ１に第２薬剤を添加する装置である。第２薬剤添加装置６は、制御部３０と電気的に接続されている。
本実施形態において、第２薬剤添加装置６は、逆浸透膜モジュール１４に備わる逆浸透膜の劣化を防ぐために、第２薬剤として安定化剤を添加する。安定化剤の添加により、例えば給水Ｗ１１に含まれる次亜塩素酸は、安定化次亜塩素酸になる。逆浸透膜モジュール１４において、逆浸透膜の劣化を効果的に抑制可能なことから、第２薬剤の例としては、スルファミン酸等の安定化剤が挙げられる。なお、第２薬剤がスルファミン酸の場合、スルファミン酸の添加量は、給水Ｗ１１中の次亜塩素酸に由来する有効塩素：スルファミン酸のモル比が、１：１〜２０程度となることが好ましく、１：１．５〜１０程度とするとなおよい。有効塩素１に対して、スルファミン酸が１を切ると、両者の反応効率が１００％だと仮定しても、遊離塩素が生じるためである。
以下では説明の簡略化のため、第２薬剤がスルファミン酸である例について説明するが、本発明はこれには限られない。
【００２３】
水質センサ７は、給水Ｗ１１の水質を測定する。水質センサ７は、制御部３０と電気的に接続されている。
本実施形態において、水質センサ７は、給水Ｗ１１の水質として、ＴＯＣ（Total Organic Carbon：全有機炭素量）、ＣＯＤ（Chemical Oxygen Demand：化学的酸素要求量）、ＢＯＤ（Biochemical Oxygen Demand：生物化学的酸素要求量）、ＡＯＣ（Assimilable Organic Carbon：同化可能有機炭素量）等の有機物量や、細菌数、ＡＴＰ数等の微生物量のいずれか一つ以上を測定する。制御部３０は、水質センサ７からこれらの測定値を受信し、受信した測定値を用いてバイオフィルムリスクを予測し、予測したバイオフィルムリスクに基づいて、水処理システム１の運転開始時における給水Ｗ１１への第１薬剤及び第２薬剤の薬注量を設定する。
【００２４】
あるいは、水質センサ７は、給水Ｗ１１の水質として給水Ｗ１１に含まれる還元性物質の濃度を測定してもよい。具体的には、水質センサ７は、還元性物質である鉄イオン、マンガンイオン等の金属イオンや、亜硝酸イオン等のイオン濃度、アンモニア性窒素（アンモニアイオン中の窒素）の量、あるいはＳＢＳ（重亜硫酸ソーダ：ＮａＨＳＯ３）等の濃度を測定する。制御部３０は、水質センサ７からこれらの還元性物質濃度の測定値を受信し、受信した測定値を用いて給水Ｗ１１中の遊離塩素濃度を調整するため、水処理システム１の運転開始時における給水Ｗ１１への第１薬剤及び第２薬剤の薬注量を設定する。
【００２５】
第１ハロゲン濃度センサ８は、給水Ｗ１１のハロゲン濃度を測定する。とりわけ、第１ハロゲン濃度センサ８は、ハロゲン濃度として、給水Ｗ１１中の結合ハロゲンと遊離ハロゲンとの総量を測定する。また、第１ハロゲン濃度センサ８は、ハロゲン濃度として、給水Ｗ１１中の残留塩素の濃度を測定してもよい。あるいは、第１ハロゲン濃度センサ８は、給水Ｗ１１中の残留塩素の濃度と臭素の濃度の各々を測定し、双方の合計値をハロゲン濃度としてもよい。
また、第１ハロゲン濃度センサ８は、例えば特開２０１８−０３８９４２号公報で開示される塩素濃度センサと同様の構成を有することにより、ハロゲン濃度を測定することが可能である。
【００２６】
第２給水ラインＬ１２の上流側の端部は、接続部Ｊ１に接続されている。第２給水ラインＬ１２の下流側の端部は、逆浸透膜モジュール１４の一次側入口ポートに接続されている。第２給水ラインＬ１２には、加圧ポンプ１０及び第１圧力センサ１３が、上流側から下流側に向けてこの順で設けられる。
【００２７】
加圧ポンプ１０は、給水Ｗ１１を吸入し、逆浸透膜モジュール１４に向けて圧送（吐出）する装置である。加圧ポンプ１０には、インバータ１１から周波数が変換された駆動電力が供給される。加圧ポンプ１０は、供給（入力）された駆動電力の周波数（以下、「駆動周波数」ともいう）に応じた回転速度で駆動される。
【００２８】
インバータ１１は、加圧ポンプ１０に、周波数が変換された駆動電力を供給する電気回路（又はその回路を持つ装置）である。インバータ１１は、制御部３０と電気的に接続されている。インバータ１１には、制御部３０から指令信号が入力される。インバータ１１は、制御部３０により入力された指令信号（電流値信号又は電圧値信号）に対応する駆動周波数の駆動電力を加圧ポンプ１０に出力する。
【００２９】
給水Ｗ１２は、加圧ポンプ１０を介して逆浸透膜モジュール１４に供給される。また、給水Ｗ１２は、給水Ｗ１１及び循環水Ｗ４０（後述）からなる。
【００３０】
第１圧力センサ１３は、逆浸透膜モジュール１４の一次側入口での給水Ｗ１２の圧力を検出する機器である。第１圧力センサ１３は、加圧ポンプ１０の吐出側に配置されている。第１圧力センサ１３で検出された給水Ｗ１２の圧力（以下、「第１検出圧力値」ともいう）は、制御部３０へ検出信号として送信される。
【００３１】
逆浸透膜モジュール１４は、給水Ｗ１２を透過水Ｗ２０と濃縮水Ｗ３０とに分離する設備である。詳細には、逆浸透膜モジュール１４は、加圧ポンプ１０から吐出された給水Ｗ１２を、溶存塩類が除去された透過水Ｗ２０と、溶存塩類が濃縮された濃縮水Ｗ３０とに膜分離処理する設備である。逆浸透膜モジュール１４は、単一又は複数の逆浸透膜エレメント（図示せず）を備える。逆浸透膜モジュール１４は、これら逆浸透膜エレメントにより給水Ｗ１２を膜分離処理し、透過水Ｗ２０と濃縮水Ｗ３０とを製造する。
【００３２】
透過水ラインＬ２は、逆浸透膜モジュール１４で分離された透過水Ｗ２０を送出するラインである。透過水ラインＬ２の上流側の端部は、逆浸透膜モジュール１４の二次側ポートに接続されている。透過水ラインＬ２の下流側の端部は、貯留タンク（図示せず）に接続されている。透過水ラインＬ２には、第２圧力センサ１５、及び第１流量センサＦＭ１が上流側から下流側に向けてこの順で設けられる。
【００３３】
第２圧力センサ１５は、逆浸透膜モジュール１４の二次側から排出される透過水Ｗ２０の圧力を検出する機器である。第２圧力センサ１５で検出された透過水Ｗ２０の圧力（以下、「第２検出圧力値」ともいう）は、制御部３０へ検出信号として送信される。
【００３４】
第１流量センサＦＭ１は、透過水ラインＬ２を流通する透過水Ｗ２０の流量を検出する機器である。第１流量センサＦＭ１は、制御部３０と電気的に接続されている。第１流量センサＦＭ１で検出された透過水Ｗ２０の流量（以下、「第１検出流量値」ともいう）は、制御部３０に検出信号として送信される。
【００３５】
濃縮水ラインＬ３は、逆浸透膜モジュール１４で分離された濃縮水Ｗ３０が流通するラインである。濃縮水ラインＬ３の上流側の端部は、逆浸透膜モジュール１４の二次側ポートに接続されている。また、濃縮水ラインＬ３の下流側は、接続部Ｊ２において、循環水ラインＬ４及び濃縮排水ラインＬ５に分岐している。濃縮水ラインＬ３には、第３圧力センサ１７が設けられる。
【００３６】
第３圧力センサ１７は、逆浸透膜モジュール１４の二次側から排出される濃縮水Ｗ３０の圧力を検出する機器である。第３圧力センサ１７で検出された濃縮水Ｗ３０の圧力（以下、「第３検出圧力値」ともいう）は、制御部３０へ検出信号として送信される。
【００３７】
循環水ラインＬ４は、濃縮水ラインＬ３に接続され、給水としての濃縮水（循環水Ｗ４０）を給水ラインＬ１に返送するラインである。本実施形態においては、循環水ラインＬ４は、濃縮水ラインＬ３を流通する濃縮水Ｗ３０を循環水Ｗ４０として、給水ラインＬ１における加圧ポンプ１０よりも上流側に返送（循環）させるラインである。循環水ラインＬ４の上流側の端部は、接続部Ｊ２において濃縮水ラインＬ３に接続されている。また、循環水ラインＬ４の下流側の端部は、接続部Ｊ１において、給水ラインＬ１に接続されている。循環水ラインＬ４には、定流量弁１８が設けられる。
【００３８】
定流量弁１８は、循環水ラインＬ４を流通する循環水Ｗ４０の流量を所定の一定流量値に保持するように調節する機器である。定流量弁１８において保持される「一定流量値」とは、一定流量値に幅がある概念であり、定流量弁における目標流量値のみに限られない。例えば、定流量機構の特性（例えば、材質や構造に起因する温度特性等）を考慮して、定流量弁における目標流量値に対して、±１０％程度の調節誤差を有するものを含む。定流量弁１８は、補助動力や外部操作を必要とせずに一定流量値を保持するものであり、例えば、水ガバナの名称で呼ばれるものが挙げられる。なお、定流量弁１８は、補助動力や外部操作により動作して、一定流量値を保持するものでもよい。
【００３９】
濃縮排水ラインＬ５は、濃縮水ラインＬ３に接続され、濃縮排水Ｗ５０としての濃縮水を系外へ排出するラインである。本実施形態においては、濃縮排水ラインＬ５は、接続部Ｊ２において濃縮水ラインＬ３に接続され、逆浸透膜モジュール１４で分離された濃縮水Ｗ３０を、濃縮排水Ｗ５０として装置外（系外）に排出するラインである。濃縮排水ラインＬ５には、第２ハロゲン濃度センサ１９と、比例制御排水弁２０と、第２流量センサＦＭ２と、が設けられる。
【００４０】
第２ハロゲン濃度センサ１９は、濃縮排水Ｗ５０のハロゲン濃度を測定する。第２ハロゲン濃度センサ１９は、第１ハロゲン濃度センサ８と同様に、ハロゲン濃度として、給水Ｗ１１中の結合ハロゲンと遊離ハロゲンとの総量を測定する。また、第２ハロゲン濃度センサ１９は、ハロゲン濃度として、濃縮排水Ｗ５０中の残留塩素の濃度を測定してもよい。あるいは、第２ハロゲン濃度センサ１９は、濃縮排水Ｗ５０中の残留塩素の濃度と臭素の濃度の各々を測定し、双方の合計値をハロゲン濃度としてもよい。
また、第２ハロゲン濃度センサ１９は、例えば特開２０１８−０３８９４２号公報で開示される塩素濃度センサと同様の構成を有することにより、ハロゲン濃度を測定することが可能である。
【００４１】
比例制御排水弁２０は、濃縮排水ラインＬ５から装置外に排出される濃縮排水Ｗ５０の流量を調節する弁である。比例制御排水弁２０は、制御部３０と電気的に接続されている。比例制御排水弁２０の弁開度は、制御部３０から送信される駆動信号により制御される。制御部３０から電流値信号（例えば、４〜２０ｍＡ）を比例制御排水弁２０に送信して、弁開度を制御することにより、濃縮排水Ｗ５０の排水流量を調節することができる。
【００４２】
第２流量センサＦＭ２は、濃縮排水ラインＬ５から排出される濃縮排水Ｗ５０の流量を検出する機器である。第２流量センサＦＭ２は、制御部３０と電気的に接続されている。第２流量センサＦＭ２で検出された濃縮排水Ｗ５０の流量（以下、「第２検出流量値」ともいう）は、制御部３０に検出信号として送信される。
【００４３】
制御部３０は、ＣＰＵ及びメモリを含むマイクロプロセッサ（図示せず）により構成される。制御部３０において、マイクロプロセッサのＣＰＵは、メモリから読み出した所定のプログラムに従って、水処理システム１に係る各種の制御を実行する。以下、制御部３０の機能の一部について説明する。
【００４４】
図２Ａは、制御部３０の第１の機能ブロック図である。制御部３０は、ハロゲン消費量算出部３１と、差圧測定部３２と、薬剤濃度調整部３３とを備える。
【００４５】
ハロゲン消費量算出部３１は、給水Ｗ１１と濃縮排水Ｗ５０とでのハロゲン濃度の収支から、主として逆浸透膜モジュール１４でのハロゲン消費量を算出する。
より詳細には、ハロゲン消費量算出部３１は、最初に、第１流量センサＦＭ１で検出される第１検出流量値と、第２流量センサＦＭ２で検出される第２検出流量値とを用いて、逆浸透膜モジュール１４での濃縮倍率を算出する。
次に、算出した濃縮倍率と、第１ハロゲン濃度センサ８によって測定される給水Ｗ１１のハロゲン濃度と、第２ハロゲン濃度センサ１９によって測定される濃縮排水Ｗ５０のハロゲン濃度とを、以下の式（１）に代入することにより、ハロゲン消費量を算出する。
ハロゲン消費量＝給水Ｗ１１のハロゲン濃度×濃縮倍率−濃縮排水Ｗ５０でのハロゲン濃度  （１）
なお、この式（１）はあくまで一例であって、これには限定されない。例えば、式（１）中の濃縮倍率は、流量ベースではなく水質ベースで確認してもよい。具体的には、給水Ｗ１１と濃縮排水Ｗ５０とで、電気伝導率を測定し、「濃縮排水Ｗ５０の伝導率／給水Ｗ１１の伝導率」から算出してもよく、特定の成分やイオン種の濃度を測定し、濃縮排水Ｗ５０中の濃度／給水Ｗ１１中の濃度」から算出してもよい。また、これらの値を乗じ確認するのではなく、設定値を代表値として用いてもよい。
【００４６】
差圧測定部３２は、第１圧力センサ１３によって測定された逆浸透膜モジュール１４の一次側入口での給水Ｗ１２の圧力、及び、第３圧力センサ１７によって測定された逆浸透膜モジュール１４の二次側での濃縮水Ｗ３０の圧力に基づいて、逆浸透膜モジュール１４における濃縮水が流れる経路の入出差圧である膜間差圧を測定する。
【００４７】
逆浸透膜モジュール１４の膜間差圧は、下記の式（２）にて表現できる。
膜間差圧［ＭＰａ］＝逆浸透膜モジュール１４の一次側入口ポートの圧力−逆浸透膜モジュール１４の二次側ポートの圧力        （２）
本実施形態においては、「逆浸透膜モジュール１４の一次側入口ポートの圧力」は、第１圧力センサ１３で測定された第１検出圧力値［ＭＰａ］により取得し、「逆浸透膜モジュール１４の二次側ポートの圧力」は、第３圧力センサ１７で測定された第３検出圧力値［ＭＰａ］により取得する。
【００４８】
薬剤濃度調整部３３は、ハロゲン消費量算出部３１によって算出されたハロゲン濃度と、差圧測定部３２によって測定された膜間差圧とに基づいて、給水Ｗ１１への塩素系酸化剤及び／又は安定化剤の薬注量を制御する。
【００４９】
とりわけ本実施形態においては、膜間差圧の値の領域を、低圧の領域から高圧の領域へと順に、第１領域、第２領域、第３領域に分割した場合、膜間差圧の値が第１領域にある場合における、許容されるハロゲン消費量である許容ハロゲン消費量をＣ１とし、膜間差圧の値が第２領域にある場合における許容ハロゲン消費量をＣ２とし、膜間差圧の値が第３領域にある場合における許容ハロゲン消費量をＣ３とすると、Ｃ１＜Ｃ２＜Ｃ３の関係が成立する。これは、膜間差圧が高いほど逆浸透膜モジュール１４の逆浸透膜に、多くのバイオフィルムが付着することを前提とするためである。
なお、これらＣ１，Ｃ２，Ｃ３は、配管や逆浸透膜によるハロゲン消費量とバイオフィルムによるハロゲン消費量の想定値との合計を用いて設定してもよい。
【００５０】
ここで、膜間差圧の値が第１領域にあると共に、ハロゲン消費量がＣ１を超えた場合には、膜劣化を防止するため、薬剤濃度調整部３３は、第１薬剤添加装置５による塩素系酸化剤の薬注量を減少させるか、第２薬剤添加装置６による安定化剤の薬注量を増加させる。また、膜間差圧の値が第１領域にあると共に、ハロゲン消費量がＣ１以下にある場合には、薬剤濃度調整部３３は、塩素系酸化剤の薬注量、及び安定化剤の薬注量を維持する。
同様に、膜間差圧の値が第２領域にあると共に、ハロゲン消費量がＣ２を超えた場合に、薬剤濃度調整部３３は、第１薬剤添加装置５による塩素系酸化剤の薬注量を減少させるか、第２薬剤添加装置６による安定化剤の薬注量を増加させる。膜間差圧の値が第２領域にあると共に、ハロゲン消費量がＣ２以下の場合には、薬剤濃度調整部３３は、塩素系酸化剤の薬注量、及び安定化剤の薬注量を維持する。
膜間差圧の値が第３領域にあると共に、ハロゲン消費量がＣ３を超えた場合に、薬剤濃度調整部３３は、第１薬剤添加装置５による塩素系酸化剤の薬注量を減少させるか、第２薬剤添加装置６による安定化剤の薬注量を増加させる。膜間差圧の値が第３領域にあると共に、ハロゲン消費量がＣ３以下の場合には、薬剤濃度調整部３３は、塩素系酸化剤の薬注量、及び安定化剤の薬注量を維持する。
【００５１】
また、薬剤濃度調整部３３は、水質センサ７により測定された水質に基づいて、水処理システム１の運転開始時における、給水ラインＬ１への塩素系酸化剤の薬注量、安定化剤の薬注量、及び臭素化合物の薬注量を初期設定することにより、給水Ｗ１１中の塩素系酸化剤の含有量、安定化剤の含有量、及び臭素化合物の含有量のバランスを調整してもよい。
【００５２】
図２Ｂは、制御部３０の第２の機能ブロック図である。制御部３０は、第１の機能ブロック図における差圧測定部３２の代わりに、第２の機能ブロック図における透過流束値算出部３４を備えてもよい。
【００５３】
透過流束値算出部３４は、第３圧力センサ１７によって測定された逆浸透膜モジュール１４の一次側入口での給水Ｗ１２の圧力、第２圧力センサ１５によって測定された逆浸透膜モジュール１４の二次側での透過水Ｗ２０の圧力、流量センサＦＭ１によって測定された、透過水ラインＬ２を流通する透過水Ｗ２０の流量に基づいて、逆浸透膜モジュール１４における透過流束値を算出する。
ここで透過流束とは、逆浸透膜モジュール１４の膜の詰まり状態を示す指標であり、単位時間当たり、単位膜面積を通過する水の量を単位膜差圧当たりとして標準温度条件下に換算したものである。これを数式にて表現すると、例えば特開２００８−５５３３６号公報に記載のように、下記の式（３）にて表現できる。
透過流束［Ｌ／ｍ２・ｈ・ＭＰａ］＝処理水瞬間流量／［｛入口運転圧力−（装置差圧÷２）−出口背圧−浸透圧｝×温度補正係数×膜面積］          （３）
【００５４】
本実施形態では、透過流束の演算に用いられる各値について、「処理水瞬間流量」は、流量センサＦＭ１で測定された検出流量値［Ｌ／ｈ］により取得し、「入口運転圧力」は、第１圧力センサ１３で測定された第１検出圧力値［ＭＰａ］により取得する。また、「装置差圧」は、設定値［ＭＰａ］であり、「出口背圧」は、第２圧力センサ１５で測定された第２検出圧力値［ＭＰａ］により取得する。「浸透圧」は、設定値［ＭＰａ］とし、温度補正係数は、水温センサ（不図示）で検出される温度の関数とし、「膜面積」は、設定値［ｍ２］である。
【００５５】
透過流束値の領域を、低い値の領域から高い値の領域へと順に、第４領域、第５領域、第６領域に分割した場合、透過流束値が第６領域にある場合における、許容ハロゲン消費量はＣ１となり、透過流束値が第５領域にある場合における許容ハロゲン消費量はＣ２となり、透過流束値が第４領域にある場合における許容ハロゲン消費量はＣ３となる。
【００５６】
ここで、透過流束値が第６領域にあると共に、ハロゲン消費量がＣ１を超えた場合には、膜劣化を防止するため、薬剤濃度調整部３３は、第１薬剤添加装置５による塩素系酸化剤の薬注量を減少させるか、第２薬剤添加装置６による安定化剤の薬注量を増加させる。また、透過流束値が第６領域にあると共に、ハロゲン消費量がＣ１以下にある場合には、薬剤濃度調整部３３は、塩素系酸化剤の薬注量、及び安定化剤の薬注量を維持する。
同様に、透過流束値が第５領域にあると共に、ハロゲン消費量がＣ２を超えた場合に、薬剤濃度調整部３３は、第１薬剤添加装置５による塩素系酸化剤の薬注量を減少させるか、第２薬剤添加装置６による安定化剤の薬注量を増加させる。透過流束値が第５領域にあると共に、ハロゲン消費量がＣ２以下の場合には、薬剤濃度調整部３３は、塩素系酸化剤の薬注量、及び／又は、安定化剤の薬注量を維持する。
透過流束値が第４領域にあると共に、ハロゲン消費量がＣ３を超えた場合に、薬剤濃度調整部３３は、第１薬剤添加装置５による塩素系酸化剤の薬注量を減少させるか、第２薬剤添加装置６による安定化剤の薬注量を増加させる。透過流束値が第４領域にあると共に、ハロゲン消費量がＣ３以下の場合には、薬剤濃度調整部３３は、塩素系酸化剤の薬注量、及び安定化剤の薬注量を維持する。
【００５７】
水処理システム１は、上記の構成を有することにより、バイオフィルムの抑制と過剰な塩素添加による膜劣化の防止との間でバランスを調整することが可能となる。
【００５８】
〔発明の動作〕
以下、本発明の実施形態である水処理システム１の動作について、図面を参照しながら説明する。図３は、本発明の水処理システム１の動作を示すフローチャートである。
なお、以下では、上記の第１領域を膜間差圧がＰ１未満の領域とし、上記の第２領域を膜間差圧がＰ１以上Ｐ２未満の領域とし、上記の第３領域を膜間差圧がＰ２以上の領域とする。これらＰ１、Ｐ２、Ｐ３は、０．０３〜０．１ＭＰａの間で任意に設定される数値とすると好適である。
同様に、上記の第４領域を透過流束値がＦ２以下の領域とし、上記の第５領域を透過流束値がＦ２を超えＦ１以下の領域とし、上記の第６領域を透過流束値がＦ１を超える領域とする。これらＦ１、Ｆ２、Ｆ３は、透過流束の初期比として７０〜１００％の間で任意に設定される数値とすると好適である。
【００５９】
ステップＳ１において、差圧測定部３２によって測定される膜間差圧がＰ１未満であるか、又は透過流束値算出部３４によって算出される透過流束値がＦ１を超える場合（Ｓ１：ＹＥＳ）には、処理はステップＳ２に移行する。差圧測定部３２によって測定される膜間差圧がＰ１以上であるか、又は透過流束値算出部３４によって算出される透過流束値がＦ１以下である場合（Ｓ１：ＮＯ）には、処理はステップＳ４に移行する。
【００６０】
ステップＳ２において、ハロゲン消費量算出部３１によって算出されるハロゲン消費量が、Ｃ１を超える場合（Ｓ２：ＹＥＳ）には、処理はステップＳ３に移行する。ハロゲン消費量算出部３１によって算出されるハロゲン消費量が、Ｃ１以下の場合（Ｓ２：ＮＯ）には、処理はステップＳ１に移行する（リターン）。
【００６１】
ステップＳ３において、薬剤濃度調整部３３は、第１薬剤添加装置５により添加される塩素系酸化剤の薬注量を減少させるか、第２薬剤添加装置６により添加される安定化剤の薬注量を増加させる。
【００６２】
ステップＳ４において、差圧測定部３２によって測定される膜間差圧がＰ１以上Ｐ２未満であるか、又は透過流束値算出部３４によって算出される透過流束値がＦ２を超えＦ１以下である場合（Ｓ４：ＹＥＳ）には、には、処理はステップＳ５に移行する。差圧測定部３２によって測定される膜間差圧がＰ２以上であるか、又は透過流束値算出部３４によって算出される透過流束値がＦ２以下である場合（Ｓ４：ＮＯ）には、処理はステップＳ６に移行する。
【００６３】
ステップＳ５において、ハロゲン消費量算出部３１によって算出されるハロゲン消費量が、Ｃ２を超える場合（Ｓ５：ＹＥＳ）には、処理はステップＳ７に移行する。ハロゲン消費量算出部３１によって算出されるハロゲン消費量が、Ｃ２以下の場合（Ｓ５：ＮＯ）には、処理はステップＳ１に移行する（リターン）。
【００６４】
ステップＳ６において、ハロゲン消費量算出部３１によって算出されるハロゲン消費量が、Ｃ３を超える場合（Ｓ６：ＹＥＳ）には、処理はステップＳ８に移行する。ハロゲン消費量算出部３１によって算出されるハロゲン消費量が、Ｃ３以下の場合（Ｓ６：ＮＯ）には、処理はステップＳ１に移行する（リターン）。
【００６５】
ステップＳ７において、薬剤濃度調整部３３は、第１薬剤添加装置５により添加される塩素系酸化剤の薬注量を減少させるか、第２薬剤添加装置６により添加される安定化剤の薬注量を増加させる。
【００６６】
ステップＳ８において、薬剤濃度調整部３３は、第１薬剤添加装置５により添加される塩素系酸化剤の薬注量を減少させるか、第２薬剤添加装置６により添加される安定化剤の薬注量を増加させる。
【００６７】
〔本実施形態の効果〕
上述した本実施形態に係る水処理システム１によれば、例えば、以下のような効果が奏される。
本発明の水処理システム１は、給水Ｗ１１に安定化剤を薬注する第２薬剤添加装置６と、給水Ｗ１１における全ハロゲン濃度と、濃縮排水Ｗ５０における全ハロゲン濃度との差分であるハロゲン消費量を算出するハロゲン消費量算出部３１と、逆浸透膜モジュール１４において濃縮水Ｗ３０が流れる経路の入出差圧である膜間差圧を測定する差圧測定部３２、又は逆浸透膜モジュール１４における透過流束値を算出する透過流束値算出部３４と、ハロゲン消費量と膜間差圧又は透過流束値とに基づいて、給水Ｗ１１への安定化剤の薬注量を制御する薬剤濃度調整部３３と、を備える。
【００６８】
ハロゲン消費量が膜劣化の度合いを反映し、逆浸透膜モジュールでの差圧がバイオフィルムの生成量を反映するため、ハロゲン消費量と逆浸透膜モジュールでの差圧の双方に基づくことにより、バイオフィルムの生成を抑えつつ膜劣化の度合いも抑えられるようなバランスで、薬注を制御することが可能となる。また、ハロゲン濃度の絶対値ではなく、ハロゲン消費量に基づいて制御することで、膜劣化をより高精度に考慮した管理が可能となる。
【００６９】
また、膜間差圧又は透過流束値に応じて、ハロゲン消費量の許容上限値が規定されると共に、ハロゲン消費量が許容上限値を超えた場合に、薬剤濃度調整部３３は、安定化剤の薬注量を増加させる。
【００７０】
これにより、とりわけ膜間差圧が高いために、塩素系酸化剤の添加量を増やしたいが、逆浸透膜へのダメージを考慮すると、塩素系酸化剤の添加量を増やせない場合に、安定化剤の薬注量を増加させることで、膜へのダメージの度合いを下げながら、バイオフィルムを抑制することが可能となる。
【００７１】
また、本発明の水処理システム１は、給水Ｗ１１中の遊離塩素濃度を調整する遊離塩素濃度調整手段を更に備え、薬剤濃度調整部３３は、ハロゲン消費量と膜間差圧又は透過流束値とに基づいて、更に、給水Ｗ１１中の遊離塩素濃度を調整する。
【００７２】
これにより、とりわけ膜間差圧が高い場合に、給水Ｗ１１中の遊離塩素濃度を調整することで、バイオフィルムを抑制することが可能となる。
【００７３】
また、膜間差圧又は透過流束値に応じて、ハロゲン消費量の許容上限値が規定されると共に、ハロゲン消費量が許容上限値を超えた場合に、薬剤濃度調整部は、遊離塩素濃度を減少させる。
【００７４】
これにより、とりわけ膜間差圧が高い場合に、給水Ｗ１１中の遊離塩素濃度を減少させることで、バイオフィルムを抑制することが可能となる。
【００７５】
また、本発明の水処理システム１は、遊離塩素濃度調整手段として、給水Ｗ１１に塩素系酸化剤を薬注する第２薬剤添加装置５を更に備える。
【００７６】
これにより、とりわけ膜間差圧が高い場合に、塩素系酸化剤の添加量を増やすことで、バイオフィルムを抑制することが可能となる。
【００７７】
また、水処理システム１は、給水Ｗ１１の水質を測定する水質センサ７を更に備え、薬剤濃度調整部３３は、水質センサ７により測定された水質に基づいて、運転開始時における給水Ｗ１１中の遊離塩素濃度の調整量及び給水Ｗ１１への安定化剤の薬注量を設定する。
【００７８】
事前に給水Ｗ１１の水分析をすることにより、バイオフィルムリスクを確認した上で、バイオフィルムリスクに応じた薬注の初期条件を設定することが可能となる。
【００７９】
〔変形例〕
以上、本発明の好適な実施形態について説明したが、本発明は、上述した実施形態に限定されることなく、種々の形態で実施することができる。
【００８０】
〔変形例１〕
例えば、第１薬剤添加装置５は、第１薬剤として塩素系酸化剤を添加することにより、給水Ｗ１１中の遊離塩素濃度を調整するとしたが、これには限定されない。第１薬剤添加装置５は、第１薬剤として還元剤を添加してもよく、この場合、給水Ｗ１１に前段のろ過処理工程等により元々含まれている遊離塩素濃度を低下させる。この還元剤としては、例えばＳＢＳ（ＮａＨＳＯ３：重亜硫酸ソーダ）を用いてもよい。
また、水処理システム１が、そもそも第１薬剤添加装置５を備えず、遊離塩素濃度を調整しない構成としてもよい。
【００８１】
〔変形例２〕
上記の実施形態では、給水Ｗ１１の全ハロゲン濃度と、濃縮排水Ｗ５０の全ハロゲン濃度との収支からハロゲン消費量を算出し、ハロゲン消費量と、膜間差圧又は透過流束値とに基づいて、バイオフィルムの生成や膜劣化の可能性を判定していたが、これには限定されない。例えば、給水における酸化還元電位と、濃縮排水における酸化還元電位との差分と、膜間差圧又は透過流束値とに基づいて、バイオフィルムの生成や膜劣化の可能性を判定してもよい。
図４は、給水Ｗ１１の全ハロゲン濃度の測定値と、濃縮排水Ｗ５０の全ハロゲン濃度の測定値との収支からハロゲン消費量を算出した場合の、膜間差圧とハロゲン消費量との関係（点線）、及び、給水Ｗ１１における酸化還元電位と濃縮排水Ｗ５０における酸化還元電位との差分からハロゲン消費量を推定した場合の、膜間差圧とハロゲン消費量との関係（実線）を示すグラフの例である。
酸化還元電位を用いる場合は、ハロゲン濃度の場合に比較して、一般に酸化性物質や還元性物質との共存状態の影響を受け易く、また、塩素濃度によっては感度が得られ難い点や、応答性が低い特性があるため、グラフの形状は水質条件によって変動し得る。
また、上記の通り、酸化性物質、還元性物質の総量の影響を反映し易い特性があるため、ハロゲン濃度で確認する場合と使い分けるのが好ましい。
給水Ｗ１１における酸化還元電位と濃縮排水Ｗ５０における酸化還元電位との差分は、遊離塩素又は安定化剤によるハロゲン消費量に対応するが、ハロゲン消費量が逆浸透膜のバイオフィルムを酸化した度合いを反映し、逆浸透膜モジュール１４での差圧又は透過流束値がバイオフィルムの生成量を反映するため、ハロゲン消費量と逆浸透膜モジュールでの差圧又は透過流束値の双方に基づくことにより、バイオフィルムの生成を抑えつつ膜劣化の度合いも抑えられるようなバランスで、薬注を制御することが可能となる。
【００８２】
〔変形例３〕
上記の実施形態では、とりわけ〔発明の動作〕で参照される図３のフローにおいて、最初に膜間差圧又は透過流束値と所定値とを比較し、次に、ハロゲン消費量を所定値と比較することにより場合分けした上で、動作内容を変更していたが、これには限定されない。例えば、最初にハロゲン消費量を所定値と比較し、次に膜間差圧又は透過流束値を所定値と比較することにより場合分けした上で、動作内容を変更してもよい。
【００８３】
〔変形例４〕
上記の実施形態では、ハロゲン消費量として、第１ハロゲン濃度センサ８によって測定される給水Ｗ１１の全ハロゲン濃度と濃縮倍率の積から、第２ハロゲン濃度センサ１９によって測定される濃縮排水Ｗ５０の全ハロゲン濃度を差し引いた値を用いたが、これには限定されない。例えば、給水Ｗ１１への次亜塩素酸ソーダ等の塩素系酸化剤の実際の注入量と、濃縮排水Ｗ５０の全ハロゲン濃度に基づいて、ハロゲン消費量を算出しても良い。
【００８４】
〔変形例５〕
また、水処理システム１は、上記の実施形態とは異なる構成を有してもよい。例えば、上記では循環水ラインＬ４を備えるとしたが、これには限定されず、循環水ラインＬ４を有さない構成としてもよい。
【００８５】
〔変形例６〕
また、水処理システム１は、更に、耐塩素膜を使用すると、膜劣化の影響をより受け難くなるのでより好適である。上述の薬注調整手法と併用することで、より劣化影響を低減することができる。耐塩素膜としては、例えばポリアミド系の材料を用いて製造されるものがある。
【００８６】
〔変形例７〕
また、水処理システム１において、膜洗浄工程にも前記薬剤を添加した給水を用いて行うのが好ましい。膜洗浄工程としては、フラッシング等が有るが、濃縮水ラインに給水ラインを接続して通水しても良い。
【符号の説明】
【００８７】
１  水処理システム、
５  第１薬剤添加装置（遊離塩素濃度調整手段）
６  第２薬剤添加装置（薬注手段）
７  水質センサ（水質測定手段）
１０  加圧ポンプ
１３  第１圧力センサ、１５  第２圧力センサ、１７  第３圧力センサ
１４  逆浸透膜モジュール
３０  制御部
３１  ハロゲン消費量算出部、３２  差圧測定部
３３  薬剤濃度調整部、３４  透過流束値算出部
ＦＭ１  第１流量センサ、ＦＭ２  第２流量センサ
Ｌ１  給水ライン、Ｌ２  透過水ライン、Ｌ３  濃縮水ライン、
Ｌ４  循環水ライン、Ｌ５  濃縮排水ライン、
Ｌ１１  第１給水ライン、Ｌ１２  第２給水ライン
【図１】
2020124675.tif 000003
【図２Ａ】
2020124675.tif 000004
【図２Ｂ】
2020124675.tif 000005
【図３】
2020124675.tif 000006
【図４】
2020124675.tif 000007